(57)【要約】【目的】蹴飛ばし力のバラツキに係わらず折り返し時の速度を安定させる。【構成】シャッタ羽根３７は、軸４１を中心として一端４２が蹴飛ばされることで他端の開閉部４３が撮影光軸を横切ってシャッタ開口を開閉する。シャッタ羽根３７がシャッタ開口を完全に開く開き位置には、斜面部材が設けられている。斜面部材の斜面５５は、開き位置でシャッタ羽根３７の一部に摺動してシャッタ羽根３７を撮影光軸の前方に向けて徐々に押してシャッタ羽根３７の軌道を光軸方向に変化させ、折り返し地点となる開き位置でシャッタ羽根３７の角速度をゼロにする。【選択図】        図５
2004219837.tif 000002
【特許請求の範囲】
【請求項１】
シャッタ開口を閉じる閉じ位置と開く開き位置との間で撮影光軸を横切るように一往復揺動するシャッタ羽根を備えたシャッタ装置において、
前記開き位置またはその直前で前記シャッタ羽根の一部に当接して前記シャッタ羽根を撮影光軸方向の何れか一方に押してシャッタ羽根の軌道を光軸方向に変化させる斜面又は突起部を備えたことを特徴とするシャッタ装置。
【請求項２】
前記開き位置を超えて回転しないように前記シャッタ羽根の回転を規制するストッパー部材を設け、前記シャッタ羽根の一部が前記ストッパー部材に当接するよりも手前で前記シャッタ羽根の一部に当接する位置に前記斜面部材を設けたことを特徴とする請求項１記載のシャッタ装置。
【請求項３】
フイルム巻き上げ操作に応答して走行完了位置からチャージバネの付勢に抗してチャージ位置に戻され、シャッタレリーズ操作に応答してチャージ位置からチャージバネの付勢により走行完了位置に移動するシャッタ駆動レバーと、前記シャッタ駆動レバーに設けた蹴飛ばしアームで一端に設けた爪部を蹴飛ばすことで前記一端と他端との間に設けた軸着部を中心として回転して他端に設けた開閉部でシャッタ開口を開閉するシャッタ羽根と、前記シャッタ開口を閉じる閉じ位置に向けてシャッタ羽根を付勢する引き戻しバネと、前記シャッタ開口を開く所定の開き位置を超えて回転しないように前記シャッタ羽根の回転を規制するストッパー部材と、前記シャッタ羽根の一部が前記ストッパー部材に当接する前に前記シャッタ羽根の一部に当接して前記シャッタ羽根を撮影光軸方向の何れか一方に押してシャッタ羽根の軌道を光軸方向に変化させる斜面又は突起部とを設けたことを特徴とするシャッタ装置。
【請求項４】
請求項１ないし３いずれかに記載したシャッタ装置を備えたレンズ付きフイルムユニット。
【発明の詳細な説明】
【０００１】
【発明に属する技術分野】
本発明は、揺動自在な１枚のシャッタ羽根を持ち、この一端を蹴飛ばして露光開口を開閉する蹴飛ばしタイプのシャッタ装置及びこれを備えたレンズ付きフイルムユニットに関するものである。
【０００２】
【従来の技術】
従来、予め写真フイルムを内蔵したレンズ付きフイルムユニット（以下、「フイルムユニット」と称す）が本出願人から提供されている。このフイルムユニットのシャッタ機構には、ローコスト化のために揺動自在な１枚のシャッタ羽根を持ち、この一端を蹴飛ばして露光開口を開閉する蹴飛ばしタイプのものが用いられている。
【０００３】
このシャッタ機構は、シャッタ駆動レバー、シャッタ羽根、引き戻しバネ、及びストッパーピンなどで構成されている。シャッタ駆動レバーは、フイルム巻き上げ操作に応答して初期位置からチャージ位置にチャージバネの付勢に抗して往動し、またシャッタレリーズ操作に応答してチャージ位置から初期位置にチャージバネの開放力で復動する。シャッタ羽根は、一端に爪部が、また他端に開閉部がそれぞれ設けられており、シャッタ駆動レバーが復動するときにその一部で爪部が蹴飛ばされ、爪部と開閉部との間に設けた軸着部を中心に回転して開閉部がシャッタ開口を開く。シャッタ開口を開放した後にはシャッタ羽根の一部にストッパーピンの近傍まで回転し、その後は、引き戻しバネの付勢により引き戻されて開閉部がシャッタ開口を塞ぐ（特許文献１）。
【０００４】
このようなシャッタ機構を用いるカメラでは、シャッタ羽根の開閉時間と絞り開口の径とで露出が決まる。例えば絞り開口が固定な場合には露光量を決める要因がシャッタ羽根の開閉時間のみとなる。この開閉時間は、シャッタ羽根の回転域を一定に確保することの他に、チャージバネの力、引き戻しバネの力、及びシャッタ羽根の慣性モーメントで決まる。シャッタ羽根の回転域は、シャッタ開口を塞ぐ閉じ位置とシャッタ開口を全開する回転域に設けたストッパーピンまでの範囲で決められる。そして、チャージバネの力は、蹴飛ばしたときにシャッタ羽根がストッパーピンに当接する直前の位置（開き位置）でシャッタ羽根の角速度がゼロになるように予め決められており、よって、閉じ位置から開き位置（角速度ゼロの時間を含む）までの移動に要する時間はシャッタ開閉時間のうちのチャージバネの力に起因する開時間となる。また、引き戻しバネはシャッタ羽根が開き位置から逆方向に再加速して閉じ位置に戻すためのものであり、これに要する時間は開閉時間のうちの引き戻しバネの力に起因する閉時間となる。
【０００５】
近年、レンズ付きフイルムユニットには、通常モードとは別に、夜景モードを持ったものが提案されている（特許文献２）。このタイプは、固定のスローシャッタとなっており、通常撮影モードと夜景撮影モードとで絞りを変えて撮影する。
【０００６】
【特許文献１】
特開平８−２７８５２９号公報（段落番号［０００３］、図６）
【特許文献２】
特開平９−５８１７号公報
【０００７】
【発明が解決しようとする課題】
ところで、上記のような蹴飛ばしタイプのシャッタ装置では、シャッタ開閉時間にバラツキが生じる。というのは、シャッタ羽根の回転域は、シャッタ羽根がシャッタ開口を塞ぐ閉じ位置とストッパーピンに当接する開き位置と間で一定に保たれているのに対し、チャージバネや引き戻しバネにはバネ力に微妙なバラツキがあるためである。これらのバネのバラツキにより、シャッタ羽根が高速のままストッパーピンに衝突してその反発により高速で閉じ位置に戻るなどの不都合が生じる欠点がある。そして、このような不都合は、特にスローシャッタの場合に影響が大きくなる。
【０００８】
本発明は、上述のような背景に鑑みてなされたもので、微妙なバネ力のバラツキを解消してシャッタ開閉時間の安定化を図るようにしたシャッタ装置及びこれを用いるレンズ付きフイルムユニットを提供することを目的とする。
【０００９】
【課題を解決するための手段】
上記目的を達成するために本発明のシャッタ装置では、シャッタ羽根が折り返す開き位置またはその直前でシャッタ羽根の一部に当接してそのシャッタ羽根を撮影光軸方向の何れか一方に押してシャッタ羽根の軌道を光軸方向に変化させる斜面又は突起部を備えたものである。これによれば、チャージバネの力のバラツキにより折り返し位置を超えることを阻止することができ、よってシャッタ開閉時間の安定化を図ることができる。
【００１０】
開き位置を超えて回転しないようにシャッタ羽根の回転を規制するストッパー部材を設ける場合には、シャッタ羽根の一部がストッパー部材に当接するよりも手前でシャッタ羽根の一部に当接する位置に斜面又は突起部を設けるのが望ましい。これによれば、チャージバネの力のバラツキによりシャッタ羽根がストッパー部材に強く衝突することを阻止することができ、よってシャッタ開閉時間の安定化を図ることができる。
【００１１】
【発明の実施の形態】
図１に示すように、レンズ付きフイルムユニット１０は、前カバー１１及び後カバー１２とで外カバーを構成し、外カバーの内部に本体基部１３、パトローネ付き写真フイルム１４、露光ユニット１５、及びストロボユニット１６を内蔵した構成となっている。本体基部１３には、露光開口１７（アパーチャー）が設けられており、露光開口１７を挟む一方側にパトローネ１８を収納するパトローネ室１９が、他方側にパトローネ１８から引き出した写真フイルム２０をロール状に収納するフイルム室２１がそれぞれ設けられている。パトローネ付き写真フイルム１４は、本体基部１３の背面に後カバー１２を取り付けることで密閉される。
【００１２】
露光ユニット１５は、本体基部１３のうちの露光開口１７の前に、また、ストロボユニット１６は本体基部１３の前でかつ露光ユニット１５の右隣にそれぞれ取り付けられる。
【００１３】
パトローネ室１９の上には、パトローネ１８の軸芯に係合する巻上げノブ２２が回動自在に設けられている。巻上げノブ２２の一部は後カバー１２に設けた開口２３から露呈され、フイルム巻き上げ操作に用いられる。
【００１４】
露光ユニット１５には、撮影レンズ、シャッタ機構、フイルム巻止め機構、シャッタチャージ機構、及びファインダ光学系等が内蔵されている。巻上げノブ２２をフイルム巻き上げ方向に回転すると、写真フイルム２０がパトローネ１８の巻軸に巻き取られ、この間の移送がフイルム巻止め機構を構成するスプロケットに伝達される。フイルム巻き止め機構は、１コマ分の長さだけの写真フイルム２０の移送に応じたスプロケットの回転を検知すると、スプロケットと巻上げノブ２２との回転をロックする。そして、この間のスプロケットの回転によりシャッタチャージ機構でのチャージが行われる。
【００１５】
前カバー１１の上面には、一部を切り欠いて弾性自在にしたシャッタボタン２４が一体に形成されている。シャッタボタン２４を押圧すると、シャッタチャージ機構のチャージが開放され、シャッタ機構が作動する。シャッタ機構の作動完了後には、フイルム巻き止め機構のロックが解除される。これにより次回のフイルム巻き上げ操作が許容される。
【００１６】
シャッタチャージ機構を構成するシャッタ駆動レバー３０は、図２に示すように、垂直な軸３１を中心としてチャージ位置と走行完了位置との間で回転する。軸３１にはチャージバネ３２が取り付けられており、シャッタ駆動レバー３０を走行完了位置に向けて付勢する。フイルム巻き上げ完了時には、シャッタ駆動レバー３０がチャージバネ３２の付勢に抗して走行完了位置からチャージ位置に向けて引き戻された後にその位置で保持され、シャッタレリーズに応答して保持が解除されてチャージバネ３２の付勢力により走行完了位置に向けて瞬時に回転する。このシャッタ駆動レバー３０には、Ｌ字型の折り曲げられた蹴飛ばしアーム３３が突出して設けられている。
【００１７】
図３にも示すように、露光ユニット１５を構成するシャッタ基板３４の前面３５には、シャッタ開口３６が形成されている。この前面３５には、シャッタ羽根３７、シャッタカバー３８、撮影レンズ３９、及びレンズホルダー４０が順に取り付けられる。前面３５の上には、光軸方向の後方に一段凹んだ段差面が形成されており、その段差面にシャッタ羽根３７を軸着する軸部４１が光軸方向の前方に突出して形成されている。
【００１８】
シャッタ羽根３７は、一端に蹴飛ばしアーム３３の移動路に入り込む爪部４２が、他端にシャッタ開口３６を開閉する開閉部４３、爪部４２と開閉部４３との間に設けられた折り曲げ部４４、及び、爪部４２の下方に設けた孔４５とをもっている。このシャッタ羽根３７は、爪部４２を含む第１平板部４６と開閉部４３を含む第２平板部４７との間の折り曲げ部４４が光軸方向に沿ってクランク状に折れ曲がった断面形状となっており、孔４５に軸部４１を嵌合させることにより、この軸部４１を中心として光軸方向に対して直交する方向に沿って揺動する。
【００１９】
この揺動は、蹴飛ばしアーム３３で爪部４２が蹴飛ばされた際に、開閉部４３がシャッタ開口３６を完全に開く開き位置と引き戻しバネ４８の付勢によりシャッタ開口３６を閉じる閉じ位置との間で行われる。また、露光ユニット１５には、ストッパー部材４９が突出して設けられている。ストッパー部材４９は、シャッタ羽根３７が開き位置を超えて回転したときシャッタ羽根３７の一部に当接してこの位置を超えて回転しないように規制する。このストッパー部材４９は、開閉部４３の側面に当接する位置に設けられている。なお、ストッパー部材４９に当接されるシャッタ羽根３７の部位としては、開閉部４３の側面に当接する位置に限らず、どこでもよい。
【００２０】
シャッタ開口３６の周縁は、光軸方向に前方に一段突出した面５０となっている。この面５０は、開閉部４３に覆われる広さとなっている。この面５０には、シャッタ羽根３７が閉じ位置のときに開閉部４３の裏面が対面する。この面５０の外周には、開き位置から閉じ位置に向けて回転するシャッタ羽根３７を受け止める受け止め壁５１が設けられている。
【００２１】
前記面５０からシャッタ羽根３７が開き位置に移動する移動路には、その移動路に沿って細幅の後ガイドレール５２が円弧状に突出して設けられている。後ガイドレール５２は、開き位置と閉じ位置との間で回転するシャッタ羽根３７の開閉部４３の裏面の一部をガイドする。
【００２２】
シャッタ羽根３７が閉じ位置に到達する後ガイドレール５２の終端５３の近傍には、斜面部材５４が設けられている。斜面部材５４には、閉じ位置から開き位置に向けてシャッタ羽根３７が回転する方向に対して光軸方向の前方に向けて徐々に突出する傾斜の斜面５５が設けられている。斜面５５は、シャッタ羽根３７の一部がストッパー部材４９に当接する直前で開閉部４３の裏面に摺動して開閉部４３を光軸方向の前方に向けて徐々に押す傾斜となっている。これにより、チャージバネ３２の力のバラツキなどによってシャッタ羽根３７がストッパー部材４９に衝突するのを軽減する。
【００２３】
シャッタカバー３８の裏面には、図４に示すように、シャッタ羽根３７の移動路に沿って前ガイドレール５７が設けられている。前ガイドレール５７は、後ガイドレール５２に対面する位置に設けられており、開き位置と閉じ位置との間で回転するシャッタ羽根３７の開閉部４３の表面の一部をガイドするように細幅で一段突出して設けられている。前ガイドレール５７と後ガイドレール５２との間の隙間Ａは、開閉部４３の厚みに、開閉部４３が斜面５５で押されて光軸方向に変化するときの変化幅を加えた長さよりも僅かに広くなっている。これにより、開閉部４３が斜面５５に摺動して孔４５を中心として開閉部４３が光軸方向の前方に変化してもシャッタ羽根３７が作動不要となることはない。なお、前ガイドレール５７と後ガイドレール５２とを対面する位置に設けているが、これに限らず、互いをずれた位置にそれぞれ設けてもよい。
【００２４】
シャッタカバー３８には、絞り開口５８が形成されている。この絞り開口５８の前面外周には、筒状のレンズ受け部５９が設けられている。レンズ受け部５９には、撮影レンズ３９が挿入され、その後レンズホルダー４０を取り付けることで撮影レンズ３９が保持される。
【００２５】
次に、以上のように構成された実施例の作用について簡単に説明する。まず、巻上げノブ２２をフイルム巻き上げ方向に操作する。巻上げノブ２２の回転により写真フイルム２０は、パトローネ１８の巻軸に巻き取られる方向に移送される。この移送力がフイルム巻止め機構とシャッタチャージ機構に入力され、フイルム巻止め機構が１コマ分の長さだけ移送したことを検知してスプロケットと巻上げノブ２２との回転をロックする。この間の移送力を利用してシャッタ駆動レバー３０が走行完了位置からチャージ位置にチャージバネ３２の付勢に抗して引き戻され、チャージ位置で保持される。
【００２６】
撮影するときには、シャッタボタン２４を押圧操作する。このシャッタレリーズに応答してシャッタ駆動レバー３０のチャージ位置での保持が解除される。シャッタ駆動レバー３０は、保持が解除されるとチャージバネ３２の付勢力により走行完了位置に向けて瞬時に回転し、この間に蹴飛ばしアーム３３でシャッタ羽根３７の爪部４２を蹴飛ばす。これによりシャッタ羽根３７が軸部４１を中心として１往復揺動し、シャッタ開口３６を開閉して露光を行う。
【００２７】
シャッタ羽根３７の開閉を詳しく説明すると、蹴飛ばされたときにストッパー部材４９に当接する直前の開き位置に向かうまでに、開閉部４３の裏面が斜面５５に摺動して、図５に示すように、開閉部４３が光軸方向の前方に押されながら開き位置に向けて回転する。このとき、斜面５５がシャッタ羽根３７の回転面に対して直交する方向に徐々に押すからシャッタ羽根３７の回転にブレーキがかかる。その後は、引き戻しバネ４８の付勢により開き位置から逆方向に再加速して閉じ位置に戻る。
【００２８】
このような構成にすることで、万が一チャージバネ３２のバラツキによってストッパー部材４９に当たる強さでシャッタ羽根３７が蹴飛ばされたとしても、開き位置に到達したときにはシャッタ羽根３７の角速度を確実にほぼゼロにすることができる。これにより、ストッパー部材４９に当接するほどの強い力で蹴飛ばされたとしても、ストッパー部材４９に衝突する力を確実に弱くすることができ、よってその衝突による反発力も小さくなるからシャッタ羽根３７の折り返し速度を低下することができる。これによりスローシャッタのタイプでもシャッタ羽根３７の開閉時間を安定させることができる。
【００２９】
こうして撮影を行った後は、再び巻上げノブ２２を回動操作してフイルム１コマ送りを行い、以後は前述したと同様にシャッタレリーズを行うことで撮影を継続してゆくことができる。
【００３０】
なお、本実施例では、例えばシャッタ速度を１／４５秒、閉じ位置から開き位置までのシャッタ羽根３７の全回転域を６５度に設定した場合、シャッタ羽根３７の全回転域のうちの折り返し位置（開き位置）の手前のうちの、全回転域の約８％程度の回転域で斜面５５に当接させ、この回転域分で光軸方向の前方に約０．２ｍｍ程度押す斜面５５を構成するのが好適である。この場合、前ガイドレール５７と後ガイドレール５２との間の隙間は、開閉部４３の厚みに加えて前後０．１５ｍｍ（計０．３ｍｍ）程度確保することができる隙間にするのが望ましい。
【００３１】
上記実施形態では、シャッタ羽根３７をクランク形状に折り曲げたものとしているが、本発明ではこれに限らず、単に平板１枚のシャッタ羽根を用いても良い。また、斜面５５を設ける位置としては、シャッタ羽根３７に接触するストッパー部材４９の接触面、あるいは逆にストッパー部材４９に接触するシャッタ羽根３７の接触面を斜面にしても同様の効果が得られる。また、シャッタ羽根３７を光軸方向の前方に押す斜面５５に限らず、光軸方向の後方に押す斜面としてもい。この場合シャッタカバー３８の後面に斜面を設ければよい。また、ストッパー部材４９を省略し、斜面５５だけを設けてもよい。さらに、シャッタ羽根３７を光軸方向に押す部材としては、斜面５５に限らず、例えばシャッタ羽根３７の軌道を光軸方向に変化させる面をもった突起部でもよい。
【００３２】
また、上記実施形態で説明したシャッタ機構をレンズ付きフイルムユニットに用いているが、これに限らず、カメラにも採用することができる。
【００３３】
【発明の効果】
以上のように、本発明によれば、閉じ位置と開き位置との間で一往復揺動するシャッタ羽根の折り返し位置となる開き位置にシャッタ羽根の一部に当接してシャッタ羽根を撮影光軸方向の何れか一方に押してシャッタ羽根の軌道を光軸方向に変化させる斜面又は突起部を設けたから、シャッタ羽根の折り返し位置を安定させることができ、よってシャッタ開閉速度の安定化を図ることができる。
【図面の簡単な説明】
【図１】本発明を用いたレンズ付きフイルムユニットを示す分解斜視図である。
【図２】露光ユニットを示す斜視図である。
【図３】露光ユニットの分解斜視図である。
【図４】閉じ位置にあるシャッタ羽根の要部断面図である。
【図５】開き位置にあるシャッタ羽根の要部断面図である。
【符号の説明】
３０  シャッタ駆動レバー
３２  チャージバネ
３７  シャッタ羽根
３８  シャッタカバー
４３  開閉部
４８  引き戻しバネ
５２  後ガイドレール
５４  斜面部材
５５  斜面
５７  前ガイドレール
【図１】
2004219837.tif 000003
【図２】
2004219837.tif 000004
【図３】
2004219837.tif 000005
【図４】
2004219837.tif 000006
【図５】
2004219837.tif 000007